(57)【要約】【課題】受講者の動作について、受講者が通信回線経由で、受講者の撮影画像をもとに加工された各種加工画像や、インストラクター等からの適切なアドバイスを得ることができるレッスンシステムを提供する。【解決手段】所定の手段を用いて撮影された、受講者の動作に関する画像を、通信回線経由でサーバー装置へ送信し、サーバー装置では当該画像を受講者の要望に応じて加工し、インストラクター等によるアドバイスの要望がある場合には、加工された画像をインストラクター装置へ送信し、インストラクターのアドバイスを受け、それらを通信回線経由でレッスン受講者の端末へ送信する。  【選択図】  図１
2007244443.tif 000002
【特許請求の範囲】
【請求項１】
クライアント装置とサーバー装置とインストラクター装置とが通信回線によって通信可能に接続されており、クライアント装置は受講者の撮影画像をサーバー装置へ送信可能な送信部と、サーバー装置より加工画像を受信可能な受信部と、受信した加工画像を表示可能な表示部とを具備し、サーバー装置は受講者の撮影画像をクライアント装置より受信可能な受信部と、受講者が希望する画像加工条件に従って受講者の撮影画像を加工する処理部と、クライアント装置より受信した受講者の撮影画像と受講者が希望する画像加工条件に従ってサーバー装置とインストラクター装置とで加工された加工画像とを記憶する記憶部と、当該加工画像をクライアント装置へ送信可能な送信部と、受講者が希望する画像加工条件にインストラクターのアドバイスを希望する画像加工条件がある場合に加工画像をインストラクター装置へ送信可能な送信部と、インストラクター装置からインストラクターのアドバイス付き加工画像を受信可能な受信部とを具備し、インストラクター装置はサーバー装置より加工画像を受信可能な受信部と、受講者の動作に対するインストラクターのアドバイスを加工画像に付加可能な処理部と、インストラクターのアドバイス付き加工画像をサーバー装置へ送信可能な送信部とを具備したことを特徴とする人間の動作のレッスンシステム。
【請求項２】
請求項１に記載のレッスンシステムを構成要素としたビジネス方法。
【請求項３】
前記通信回線が、インターネット回線、光通信回線、衛星通信回線および有線電気通信回線のいずれかから形成されている請求項１に記載の人間の動作のレッスンシステム。
【請求項４】
請求項３に記載のレッスンシステムを構成要素としたビジネス方法。
【請求項５】
前記サーバー装置に、受講者の動画像を所定枚数の静止分解画像である連続静止画像に加工する手段と、２つの異なる動画像から作成した連続静止画像を対比的に並べる手段とを具備したことを特徴とする請求項１に記載の人間の動作のレッスンシステム。
【請求項６】
請求項５に記載のレッスンシステムを構成要素としたビジネス方法。
【請求項７】
前記インストラクター装置が複数台あり、それぞれに対応したインストラクターが存在する場合で、受講者が希望するインストラクターを指定できるようにしたことを特徴とする請求項１に記載の人間の動作のレッスンシステム。
【請求項８】
請求項７に記載のレッスンシステムを構成要素としたビジネス方法。
【請求項９】
画像を撮影する手段が携帯電話である場合、クライアント装置を経由せず、直接サーバー装置と送受信をおこなうことを特徴とする請求項１に記載の人間の動作のレッスンシステム。
【請求項１０】
請求項９に記載のレッスンシステムを構成要素としたビジネス方法。
【発明の詳細な説明】
【技術分野】
【０００１】
本発明は、受講者がインターネット回線等の通信回線を利用し、たとえばゴルフの場合を例にとれば、ゴルフ練習場、ゴルフコース等で撮影した主として動画像からなる受講者撮影画像を加工し、スイングの欠点を容易に把握できるようにした、たとえばゴルフのインストラクター（レッスンプロ、プロゴルファー等）と対比した連続静止画像などの加工画像と、インストラクターからの適切なアドバイスを得ることができるようにした、レッスンシステム及び当該レッスンシステムを構成要素としたビジネス方法に関するものである。
【背景技術】
【０００２】
ゴルフの場合を例に説明するが、現在、ゴルフは最も普及したスポーツの一つである。ゴルフを楽しむためには基本的な技術の習得が必要となるが、そのなかでも正しいスイングを身につけることが上達への早道である。
【０００３】
一般のゴルファーは、テレビのゴルフレッスン番組、トーナメント放映、ゴルフ雑誌、ゴルフビデオなどを参考にし、自宅やゴルフ練習場などで自分なりに考えてスイングの習得に努めるのが一般的である。
【発明の開示】
【発明が解決しようとする課題】
【０００４】
しかし、上記スイングの習得方法では、正しいスイングを身に付けるのが難しい。自分がどのようなスイングをし、何処を直せばいいのか解らないからである。
【０００５】
自分のスイングを確認する方法としては、デジタルカメラ、携帯電話が普及してきているので、これらを用いゴルフ練習場等で、友人に自分のスイングを撮影してもらい、後で再生しスイングチエックすることが考えられる。これによれば、自分のスイングを客観的に見ることができ技術習得の参考にはなる。しかし、自分の動画像を自分で見るだけでは、スイングの詳細の動作を確認し、どのようにすれば悪いところを直せるのかを知ることは難しい。
【０００６】
ここで、正しいスイングを習得するためには、たとえば撮影した自分の動画像を連続静止画像に加工し、理想的スイングをするインストラクターの連続静止画像と対比し、スイングで修正すべき点を把握するとかが考えられるが、簡単に実現できる方法はない。
【０００７】
またゴルフのインストラクターにスイングを見てもらい直接指導を受けることが有効であると考えられるが、インストラクターに指導を受けるには場所や時間を指定されることが一般的で、高価であり一般のゴルファーには敬遠されがちである。なお、一流のプロゴルファーにスイングの指導を受けることは、ほとんど不可能に近い。
【０００８】
このような問題点は、ゴルフのスイングチエックに限らず、テニスや卓球や野球等プレーヤーがラケットやバットを振り回す一連のスイングを専門家にチエックして欲しいと希望するユーザに共通するものである。またスポーツのスイングに限らず、歩き方など一般の動作に関しても同様な要望がある。
【０００９】
本発明の目的は、受講者の動作を撮影した画像をもとに、今後の動作の改善に役立たせるための加工画像を作成し、当該加工画像を受講者に提供すると同時に、受講者が場所的・時間的な制約を受けることなく、インストラクターから動作に関するレッスンを受けることができるようにした通信回線を利用したレッスンシステムを提供することにある。
【課題を解決するための手段】
【００１０】
請求項１及び請求項２の発明は、クライアント装置とサーバー装置とインストラクター装置とが通信回線によって通信可能に接続されており、クライアント装置は受講者の撮影画像をサーバー装置へ送信可能な送信部と、サーバー装置より加工画像を受信可能な受信部と、受信した加工画像を表示可能な表示部とを具備し、サーバー装置は受講者の撮影画像をクライアント装置より受信可能な受信部と、受講者が希望する画像加工条件に従って受講者の撮影画像を加工する処理部と、クライアント装置より受信した受講者の撮影画像と受講者が希望する画像加工条件に従ってサーバー装置とインストラクター装置とで加工された加工画像とを記憶する記憶部と、当該加工画像をクライアント装置へ送信可能な送信部と、受講者が希望する画像加工条件にインストラクターのアドバイスを希望する画像加工条件がある場合に加工画像をインストラクター装置へ送信可能な送信部と、インストラクター装置からインストラクターのアドバイス付き加工画像を受信可能な受信部とを具備し、インストラクター装置はサーバー装置より加工画像を受信可能な受信部と、受講者の動作に対するインストラクターのアドバイスを加工画像に付加可能な処理部と、インストラクターのアドバイス付き加工画像をサーバー装置へ送信可能な送信部とを具備したことを特徴とする人間の動作のレッスンシステム及び当該レッスンシステムを構成要素としたビジネス方法である。
【００１１】
請求項３及び請求項４の発明は、前記通信回線が、インターネット回線、光通信回線、衛星通信回線および有線電気通信回線のいずれかから形成されている請求項１に記載の人間の動作のレッスンシステム及び当該レッスンシステムを構成要素としたビジネス方法である。
【００１２】
請求項５及び請求項６の発明は、前記サーバー装置に、受講者の動画像を所定枚数の静止分解画像である連続静止画像に加工する手段と、２つの異なる動画像から作成した連続静止画像を対比的に並べる手段とを具備したことを特徴とする請求項１に記載の人間の動作のレッスンシステム及び当該レッスンシステムを構成要素としたビジネス方法である。
【００１３】
請求項７及び請求項８の発明は、前記インストラクター装置が複数台あり、それぞれに対応したインストラクターが存在する場合で、受講者が希望するインストラクターを指定できるようにしたことを特徴とする請求項１に記載の人間の動作のレッスンシステム及び当該レッスンシステムを構成要素としたビジネス方法である。
【００１４】
請求項９及び請求項１０の発明は、画像を撮影する手段が携帯電話である場合、クライアント装置を経由せず、直接サーバー装置と送受信をおこなうことを特徴とする請求項１に記載の人間の動作のレッスンシステム及び当該レッスンシステムを構成要素としたビジネス方法である。
【発明の効果】
【００１５】
請求項１及び請求項２の発明の場合、クライアント装置から受講者の撮影画像がサーバー装置へ送信される。サーバー装置ではこれを受けて、例えばインストラクターのスイング画像と対比できるような加工画像を作成する。また加工画像をインストラクターに見てもらい、スイングの解析や課題、今後の練習方法などをアドバイスしてもらう。これらのアドバイス付き加工画像は、例えば文字とか音声付き加工画像として編集されクライアント装置へ送信される。
【００１６】
これにより受講者は、クライアント装置の表示手段を通じて、受講者のスイング画像とインストラクターのスイング画像を比較することができ、また受講者のスイングに対するインストラクターのアドバイスを受けることができる。
【００１７】
したがって、受講者は場所的・時間的な制約を受けることなく、自分のスイングの欠点を把握でき、またインストラクターにスイングのアドバイスをしてもらうことができる。
【００１８】
またインストラクターにとっても、サーバー装置とインストラクター装置とが通信可能に接続されているので、場所的・時間的な制約を受けることなく、受講者に対しアドバイスをすることができる。
【００１９】
請求項３及び請求項４の発明の場合、それぞれの通信回線を有効利用して、受講者は場所的・時間的な制約を受けることなくインストラクターにスイングのアドバイスをしてもらうことができる。
【００２０】
請求項５及び請求項６の発明の場合、受講者は１コマ１コマの詳細な動作を確認でき、また、たとえばインストラクターとのスイング対比等が可能となり、自分のスイングの欠点を容易に知ることができる。
【００２１】
請求項７及び請求項８の発明の場合、複数のインストラクターから自分の希望するインストラクターを選択し、そのインストラクターにアドバイスをしてもらうことができる。
【００２２】
請求項９及び請求項１０の発明の場合、受講者の撮影画像をクライアント装置を経由せず、撮影装置の携帯電話より直接サーバー装置に送信できるので、時間の短縮と操作の簡素化がはかれる。
【発明を実施するための最良の形態】
【００２３】
本発明は、図１に示すように、ネットワーク回線８０によって通信可能に接続されたクライアント装置２０とサーバー装置３０とインストラクター装置４０を有することにより、受講者が通信回線経由で、受講者の撮影画像をもとに加工された各種加工画像や、インストラクター等からの適切なアドバイスを得ることができるレッスンシステムを実現した。
【実施例１】
【００２４】
以下、本発明の実施に関し、ゴルフレッスンの場合を例に図面を参照して具体的に説明する。本発明に係る通信回線を利用したスイングなど動作に関するレッスンシステムは、図１に示すように、ネットワーク回線８０によって通信可能に接続されたクライアント装置２０とサーバー装置３０とインストラクター装置４０とを有している。
【００２５】
この実施形態では、ネットワーク回線８０は、インターネット回線８０とされている。クライアント装置２０は、インターネット回線８０に接続されたプロバイダ５０とＡＤＳＬ９０などで接続されている。サーバー装置３０は、インターネット回線８０に接続されたプロバイダ５１とＡＤＳＬ９１などで接続されている。インストラクター装置は、インターネット回線８０に接続されたプロバイダ５２とＡＤＳＬ９２などで接続されている。クライアント装置２０とサーバー装置３０とインストラクター装置４０とは、ＴＣＰ／ＩＰ等のインターネット用通信プロトコルを用いて相互に通信可能に構成されている。クライアント装置２０とサーバー装置３０とインストラクター装置４０は、必要なプログラムをインストールしたコンピュータまたはコンピュータ機能を備えた携帯電話から形成されている。
【００２６】
受講者の撮影画像は、ゴルフのスイングをビデオカメラ等撮影装置１０で撮影し、それをクライアント装置２０に取り込むことにより生成されている。尚、撮影装置１０として携帯電話を利用する場合には、携帯電話が撮影装置１０とクライアント装置２０との機能を果たす。
【００２７】
詳しくは、クライアント装置２０は、図２に示すように受講者の撮影画像と受講者が希望する画像加工条件をサーバー装置３０へ送信可能な、またサーバー装置３０から受講者の希望した画像加工条件に対応して加工された加工画像を受信可能な送信部／受信部２３と、受信した加工画像を表示可能な表示部２２とを具備している。またクライアント装置２０は、各種コマンド等を入力するための入力部２１、通常のコンピュータ処理をする処理部２４及び記憶部２５（ハードディスク等）も有している。
【００２８】
上記処理部２４は、各種の処理を行うＣＰＵから形成されている。表示部２２は、ＣＲＴ、液晶ディスプレイ等から形成されている。入力部２１は、マウスやキーボード等から形成されている。記憶部２５は、ハードディスク等のストレージデバイスから形成されており、ワークエリア（作業領域）を備えるとともに、オペレーティングシステム、グラフィカルユーザーインターフェイス、ブラウザ、本発明に係る処理を行うためのアプリケーションプログラム等が記憶されている。
【００２９】
上記したクライアント装置２０の各構成要素（処理部２４等）はバス２６で接続されている。また、上記したＡＤＳＬ９０が送信部／受信部２３に接続されている。このクライアント装置２０は、一般家庭、ゴルフ場、ゴルフ練習場、ゴルフショップおよびイベント会場など任意の場所に設置可能である。
【００３０】
次に、サーバー装置３０は、図２に示すように、クライアント装置２０から送信されてきた主として動画像の受講者の撮影画像を連続静止画像に加工する手段と２つの異なる動画像から分解加工した連続静止画像を対比的に並べる手段等とを具備した処理部３４と、クライアント装置２０から受信した受講者の撮影画像と受講者が希望する画像加工条件に従ってサーバー装置３０で加工された加工画像とインストラクター装置４０から送信されてきたインストラクターのアドバイス付き加工画像とを記憶する記憶部３５と、クライアント装置２０より受講者の撮影画像を受信し、受講者がインストラクターのアドバイス付き加工画像を希望する場合にインストラクター装置４０へ加工画像を送信し、それを元に加工されたインストラクターのアドバイス付き加工画像をインストラクター装置４０から受信し、サーバー装置３０で加工された加工画像に当該インストラクターのアドバイス付き加工画像を追加しクライアント装置２０へ送信する送信部／受信部３３とを具備している。また、サーバー装置３０は、各種の情報を表示可能な表示部（ＣＲＴ，液晶ディスプレイ等）３２と、情報等を入力可能な入力部（マウス，キーボード等）３１とを有している。このサーバー装置３０には、受講者に各種情報を提供するためのゴルフスイングレッスン用のホームページ（ＨＰ）であるレッスンサイトが開設されていることもある。
【００３１】
上記したサーバー装置３０の各構成要素（処理部３４等）はバス３６で接続されている。また、上記したＡＤＳＬ９１が送信部／受信部３３に接続されている。
【００３２】
次に、インストラクター装置４０は、図２に示すように、サーバー装置３０から送信されてきた受講者の加工画像にインストラクターのアドバイスを付加する手段を具備した処理部４４と、サーバー装置３０から送信されてきた加工画像とインストラクターのアドバイス付き加工画像とを記憶する記憶部４５と、サーバー装置３０から加工画像を受信し、当該加工画像にインストラクターのアドバイスを付加した加工画像を送信する送信部／受信部４３とを具備している。また、インストラクター装置４０は、各種の情報を表示可能な表示部（ＣＲＴ，液晶ディスプレイ等）４２と、情報等を入力可能な入力部（マウス，キーボード等）４１とを有している。
【００３３】
上記したインストラクター装置４０の各構成要素（処理部４４等）はバス４６で接続されている。また、上記したＡＤＳＬ９２が送信部／受信部４３に接続されている。
【００３４】
インストラクター装置４０として携帯電話を利用することも可能である。この場合は、サーバー装置３０より携帯電話で画像を受信し、それを元にしたアドバイスを文字、音声の形でサーバー装置３０に送信するのが一般的である。
【００３５】
次に、通信方式としてインターネットメールを利用した場合を例に、図３、図４に示すフローチャートを参照にしながら具体的に説明する。
【００３６】
ゴルフスイングのレッスンを受けたい受講希望者は、まずクライアント装置２０を用いて、メールでサーバー装置３０に入会を申し込む（図３のステップＳＴ１）。それを受けてサーバー装置３０は、受講希望者の個人情報等を記憶部３５に保存するなど入会の受付を行う（図３のステップＳＴ２）。受講希望者は入会申し込み後、所定の会費を銀行振り込み等で支払い（図３のステップＳＴ３）、サーバー装置３０の運営管理者はその入金を確認後、入金額を記憶部３５に保存するなど入金処理を行う（図３のステップＳＴ４）。その後受講希望者に識別番号であるＩＤ番号、パスワードを割り付けるなどの会員登録処理を行い（図３のステップＳＴ５）、メールを用い受講希望者に登録が完了したことと割り付けられたＩＤ番号、パスワードを連絡する（図３のステップＳＴ６）。これを受け受講希望者は、登録が完了したことを確認する（図３のステップＳＴ７）
【００３７】
入会を済ませた会員は、ゴルフスイングのレッスンを希望する場合、デジタルカメラ等で撮影した自己のゴルフスイングを受講者撮影画像として、クライアント装置２０に取り込んだ後、表１に示す受講者識別情報と受講者指定情報（指定画像加工条件及び指定インストラクター）からなる受講者情報を、メールでサーバー装置３０へ送信し、レッスンの依頼をする（図４のステップＳＴ１１）。撮影した画像データはメールの添付ファイルとして送信する。
【００３８】
【表１】
2007244443.tif 000003
【００３９】
サーバー装置３０は、当該メールを受け取り、レッスンの依頼を受け付け（図４のステップＳＴ１２）、受講希望者の識別番号（ＩＤ番号）とパスワード（ＰＷ）により会員であるかを確認すると同時に、受講希望者の入金額に応じて与えたサービスポイントの残量に関し、今回依頼のサービスの提供が可能であるかをチエックし（図４のステップＳＴ１３）、ＯＫであれば受講者の指定画像加工条件に従って、たとえば一つの動画像をもとに分解加工した所定枚数の静止分解画像である単純連続静止画像とか、二つの動画像を用いて分解加工した対比型連続静止画像などを作成する（図４のステップＳＴ１４）。
【００４０】
また受講者の指定画像加工条件の中に、インストラクターのアドバイス付き画像の依頼がある場合には（図４のステップＳＴ１５のＹ）、インストラクター装置４０にメールで受講者のスイング画像のアドバイスを依頼する（図４のステップＳＴ１６）。アドバイスを受ける画像データはメールの添付ファイルとして送信する。インストラクターは当該画像をチエックして、アドバイス情報を追加した加工画像を作成する（図４のステップＳＴ１７）。加工画像を作成後、サーバー装置３０へアドバイス付き加工画像をメールの添付ファイルとして送信する（図４のステップＳＴ１８）。サーバー装置３０はこの画像を受信し（図４のステップＳＴ１９）、先に作成したインストラクターのアドバイスがない加工画像と合わせ、メールの添付ファイルとしてクライアント装置２０へ送信する（図４のステップＳＴ２０）。
【００４１】
クライアント装置２０は加工画像が添付されたメールを受信し（図４のステップＳＴ２１）、受講者はクライアント装置２０を使って、自分の加工画像を見て（図のステップＳＴ２２）、スイングの改造のヒントを得ることができる。また受講者は、ゴルフのインストラクターによるスイングの解析や課題、今後の練習方法などのアドバイスを受けることができる。
【００４２】
このように、受講者は、自宅・ゴルフ場・ゴルフ練習場・ゴルフショップ・イベント会場等で撮影した画像を元にして、自宅などでクライアント装置２０を利用して、場所的・時間的制約を受けることなくゴルフスイングのレッスンを受けることが出来るとともに、適時加工画像を見て自分のゴルフスイングの研究をすることができる。またインストラクターも場所的・時間的制約を受けることなくレッスンを実施することができる。
【００４３】
なお、上記実施形態では、通信回線としてインターネット回線８０を用いたが、光通信回線、衛星通信回線および有線電気通信回線のいずれかを用いてもよい。
【００４４】
上記フローチャートでは通信方式としてメールを利用した場合を説明したが、サーバー装置３０にＨＰ（レッスンサイト）が開設されており、受講者が当該レッスンサイトにアクセスしＩＤ番号、パスワード、受講者撮影画像等を送信することによりレッスンを依頼し、受講者撮影画像が加工された後その当該レッスンサイトにアクセスし加工画像を閲覧するという形態もある。
【００４５】
また受講者は、表１に示す様々な画像加工条件を選択できる。最も基本的なものとして、１つのスイング動画像をたとえば８コマの連続静止画像に加工した図５に示す「単純連続静止画像」、２つのスイング動画像を対比的に並べた連続静止画像の内、インストラクターのスイングと対比した図６に示す「インストラクター対比連続静止画像」、受講者の過去と現在を対比した「過去のスイング対比連続静止画像」、スライスなど結果がよくなかった時のスイングとナイスショットの時のスイングを対比した（スイングした直後、例えばスライスとかナイスショットとかのサインを行い、この動作を撮影画像の中に含めることにより、球筋に対応した連続静止画像の作成が可能となる）「球筋対比連続静止画像」、図７にその１こまを示すインストラクターのアドバイス付き単純連続静止画像などがあり、受講者のスイングの改造すべき点をより解りやすく把握できるようにしている。
【００４６】
前記した実施例では、ゴルフを例に説明したが、本発明は人間の動作全般に活用できるレッスンシステムである。
【図面の簡単な説明】
【００４７】
【図１】本発明の実施形態を説明するための図である。
【図２】同じく、電子的構成を説明するためのブロック図である。
【図３】同じく、通信としてメールを利用した方式の会員登録に関するフローチャートを示す図である。
【図４】同じく、通信としてメールを利用した方式のレッスンに関するフローチャートを示す図である。
【図５】同じく、加工画像のうち、「単純連続静止画像」例である。
【図６】同じく、加工画像のうち、インストラクターのスイングと比較した「インストラクター対比連続静止画像」例である
【図７】同じく、加工画像のうち、「インストラターのアドバイス付き単純連続静止画像」例の１コマである。
【符号の説明】
【００４８】
10  撮影装置
20  クライアント装置
21  入力部
22  表示部
23  送信部／受信部
24  処理部
25  記憶部
26  コンピュータ内のバス
30  サーバー装置
31  入力部  
32  表示部
33  送信部／受信部
34  処理部
35  記憶部
36  コンピュータ内のバス
40  インストラクター装置
41  入力部
42  表示部
43  送信部／受信部
44  処理部
45  記憶部
46  コンピュータ内のバス
50  プロバイダ
51  プロバイダ
52  プロバイダ
80  ネットワーク回線
90  通信回線
91  通信回線
92  通信回線
【図１】
2007244443.tif 000004
【図２】
2007244443.tif 000005
【図３】
2007244443.tif 000006
【図４】
2007244443.tif 000007
【図５】
2007244443.tif 000008
【図６】
2007244443.tif 000009
【図７】
2007244443.tif 000010